(57)【特許請求の範囲】
【請求項１】
対象空間（ＳＰ）に設置され、利用者が有する携帯通信端末（９０）から送信されるコマンドに基づき運転状態を切り換えられ前記対象空間の空気調和を行う空気調和機（２０）であって、
自己を識別する識別情報を含む特定情報を記憶する特定情報記憶部（６１）と、
前記特定情報を前記携帯通信端末に通知する特定情報通知部（６８）と、
前記特定情報を通知された前記携帯通信端末、から送信された前記コマンドを受信するコマンド受信部（３７）と、
受信した前記コマンドに基づきアクチュエータの動作を切り換える切換制御を実行するアクチュエータ駆動部（２１）と、
を備え、
前記コマンド受信部は、所定の無線通信規格を用いて構築される無線通信ネットワーク（ＮＷ１）を介して、前記携帯通信端末から前記コマンドを受信し、
前記特定情報通知部は、前記無線通信ネットワーク（ＮＷ１）とは異なる近距離無線ネットワーク（ＮＷ２）としての近距離無線通信であるＮＦＣ（Ｎｅａｒ  Ｆｉｅｌｄ  Ｃｏｍｍｕｎｉｃａｔｉｏｎ）によって前記携帯通信端末に前記特定情報を通知し、
前記ＮＦＣによって前記携帯通信端末に通知された前記特定情報は、通知先の前記携帯通信端末によって前記運転状態を切り換えることが可能な操作可能期間を指定する操作可能期間情報を含み、
前記アクチュエータ駆動部は、通知された前記操作可能期間情報において指定される前記操作可能期間を過ぎた前記携帯通信端末から前記無線通信ネットワーク（ＮＷ１）によって送信された前記コマンドによっては前記切換制御を実行しない、
空気調和機（２０）。
【請求項２】
前記操作可能期間情報は、通知先の前記携帯通信端末によって前記運転状態を切り換えることが可能となる開始タイミングと、通知先の前記携帯通信端末によって前記運転状態を切り換えることが不可能となる終了タイミングと、を特定する情報を含む、
請求項１に記載の空気調和機（２０）。
【請求項３】
前記特定情報通知部は、通知された前記操作可能期間情報において指定される前記操作可能期間を過ぎた前記携帯通信端末のうち、前記対象空間内に存在するものに対して、新たな前記操作可能期間情報を含む前記特定情報を通知する、
請求項１又は２に記載の空気調和機（２０）。
【請求項４】
前記携帯通信端末から送信される要求信号に基づき前記携帯通信端末との通信コネクションを確立するか否かの判断を行う判断部（６９）をさらに備え、
前記判断部は、前記要求信号に含まれるパスワード情報の適否に基づき前記判断を行い、
前記特定情報には、前記パスワード情報が含まれる、
請求項１から３のいずれか１項に記載の空気調和機（２０）。
【請求項５】
前記通信コネクションには、管理者の前記携帯通信端末との管理者接続と、前記管理者以外の前記利用者の前記携帯通信端末との利用者接続と、が含まれ、
前記管理者接続に必要な前記パスワード情報である管理者パスワード情報を記憶する管理者パスワード記憶部（６１）と、
前記利用者接続に必要な前記パスワード情報である利用者パスワード情報を記憶する利用者パスワード記憶部（６１）と、
をさらに備え、
前記判断部は、前記要求信号に含まれる前記管理者パスワード情報の適否に基づき前記管理者接続を確立するか否かの判断を行い、前記要求信号に含まれる前記利用者パスワード情報の適否に基づき前記利用者接続を確立するか否かの判断を行う、
請求項４に記載の空気調和機（２０）。
【請求項６】
前記運転状態のうち前記携帯通信端末によって切換可能な設定項目である許可項目、を特定する設定項目情報を記憶する設定項目情報記憶部（６１）をさらに備え、
前記アクチュエータ駆動部は、前記携帯通信端末から送信された前記コマンドのうち、前記設定項目情報において特定される前記許可項目以外の設定項目の切換えを指示する前記コマンドによっては、前記切換制御を実行しない、
請求項１から５のいずれか１項に記載の空気調和機（２０）。
【発明の詳細な説明】
【技術分野】
【０００１】
本発明は、空気調和機に関する。
【背景技術】
【０００２】
従来、利用者が所持する携帯通信端末と通信可能に構成され携帯通信端末を介して運転状態を切換可能に構成された空気調和機が提案されている。例えば、特許文献１（特開２０１３−７６４９３号公報）には、スマートフォンを介して入力されたコマンドに応じて運転状態が切り換わる（すなわち、スマートフォンが、コマンドを入力するコマンド入力装置として機能する）空気調和機が開示されている。
【発明の概要】
【発明が解決しようとする課題】
【０００３】
上述のような空気調和機は、一般家庭のような利用者と管理者が一致する空間に設置される以外にも、ホテルの客室やレンタルルーム等、利用者が一時的に滞在する空間（すなわち、利用者と管理者とが一致しない空間）に設置されるケースが考えられる。係るケースにおいては、空気調和機の設置空間に一時的に滞在する利用者（すなわち利用権限を有する者）に対しては運転状態の切換えを許容する一方で、滞在を終えた退去者（すなわち利用権限を喪失した者）に対して運転状態の切換えを制限することがセキュリティ上望まれる。
【０００４】
しかし、特許文献１に開示されるような従来の空気調和機が、利用者と管理者とが一致しない空間に設置された場合、退去者の携帯通信端末によっても運転状態の切換えが可能となるため、セキュリティ上好ましくない。
【０００５】
そこで、本発明の課題は、セキュリティ性に優れた空気調和機を提供することである。
【課題を解決するための手段】
【０００６】
本発明の第１観点に係る空気調和機は、対象空間に設置され、利用者が有する携帯通信端末から送信されるコマンドに基づき運転状態を切り換えられ対象空間の空気調和を行う空気調和機であって、特定情報記憶部と、特定情報通知部と、コマンド受信部と、アクチュエータ駆動部と、を備える。特定情報記憶部は、特定情報を記憶する。特定情報には、自己を識別する識別情報が含まれる。特定情報通知部は、特定情報を携帯通信端末に通知する。コマンド受信部は、特定情報を通知された携帯通信端末、から送信されたコマンドを受信する。アクチュエータ駆動部は、切換制御を実行する。切換制御は、受信したコマンドに基づき、アクチュエータの動作を切り換える制御である。特定情報は、操作可能期間情報を含む。操作可能期間情報は、通知先の携帯通信端末によって運転状態を切り換えることが可能な操作可能期間を指定する情報である。アクチュエータ駆動部は、通知された操作可能期間情報において指定される操作可能期間を過ぎた携帯通信端末から送信されたコマンドによっては、切換制御を実行しない。
【０００７】
本発明の第１観点に係る空気調和機では、特定情報通知部が、識別情報及び操作可能期間情報を含む特定情報を携帯通信端末に通知し、アクチュエータ駆動部が、特定情報を通知された携帯通信端末から送信されたコマンドに基づき切換制御を実行する一方で、通知された操作可能期間情報において指定される操作可能期間を過ぎた携帯通信端末から送信されたコマンドによっては切換制御を実行しない。これにより、空気調和機がホテル等の宿泊施設やレンタルルーム等、利用者が一時的に滞在する施設（すなわち、利用者と管理者とが一致しない空間）に設置される場合において、コマンド入力装置として機能させる携帯通信端末を制限することが可能となり、操作者を施設の管理者及び利用者（すなわち、利用権限のある者）に制限することが可能となる。特に、既に施設の利用を終えた退去者（すなわち、利用権限のない者）の携帯通信端末による運転状態の切換えを制限することが可能となる。その結果、空気調和機が利用者と管理者とが一致しない空間に設置される場合においても、空気調和機の運転状態を利用権限のない部外者によって切り換えられることが抑制される。よって、セキュリティ性が向上する。
【０００８】
なお、ここでの「空気調和機」には、エアコンの室内ユニット、空気清浄機、換気装置、除湿機等、対象空間に設置され空気調和を行う各種装置が含まれる。
【０００９】
本発明の第２観点に係る空気調和機は、第１観点に係る空気調和機であって、操作可能期間情報は、開始タイミングと、終了タイミングと、を特定する情報を含む。開始タイミングは、操作可能期間情報の通知先の携帯通信端末によって運転状態を切り換えることが可能となるタイミングである。終了タイミングは、操作可能期間情報の通知先の携帯通信端末によって運転状態を切り換えることが不可能となるタイミングである。
【００１０】
これにより、利用者が操作を開始するタイミングに応じて操作可能期間を設定することが可能となる。よって、空気調和機が利用者と管理者とが一致しない空間に設置される場合において空気調和機を管理するうえで、利便性に優れる。
【００１１】
本発明の第３観点に係る空気調和機は、第１観点又は第２観点に係る空気調和機であって、特定情報通知部は、通知された操作可能期間情報において指定される操作可能期間を過ぎた携帯通信端末のうち、対象空間内に存在するものに対して、新たな操作可能期間情報を含む特定情報を通知する。
【００１２】
これにより、操作可能期間終了後においても利用を継続する利用者に対して、操作可能期間を新たに設定することが可能となる。よって、空気調和機が利用者と管理者とが一致しない空間に設置される場合においてセキュリティ性が確保されつつ、さらに利便性に優れる。
【００１３】
本発明の第４観点に係る空気調和機は、第１観点から第３観点のいずれかに係る空気調和機であって、判断部をさらに備える。判断部は、携帯通信端末から送信される要求信号に基づき、携帯通信端末との通信コネクションを確立するか否かの判断を行う。判断部は、要求信号に含まれるパスワード情報の適否に基づき、判断を行う。特定情報には、パスワード情報が含まれる。
【００１４】
これにより、空気調和機が利用者と管理者とが一致しない空間に設置される場合において、コマンド入力装置として機能させる携帯通信端末をさらに制限することが可能となり、操作者を管理者及び特定の利用者に制限することが可能となる。その結果、空気調和機が利用者と管理者とが一致しない空間に設置される場合においても、空気調和機を利用権限のない部外者に運転されることがさらに抑制される。よって、セキュリティ性をさらに向上させることが可能となる。
【００１５】
なお、ここでの「パスワード情報の適否」には、パスワード情報の正誤並びにパスワード情報の有無が含まれる。
【００１６】
本発明の第５観点に係る空気調和機は、対象空間に設置され、利用者が有する携帯通信端末から送信されるコマンドに基づき運転状態を切り換えられ対象空間の空気調和を行う空気調和機であって、特定情報記憶部と、特定情報通知部と、コマンド受信部と、アクチュエータ駆動部と、判断部と、を備える。特定情報記憶部は、特定情報を記憶する。特定情報には、自己を識別する識別情報が含まれる。特定情報通知部は、特定情報を携帯通信端末に通知する。コマンド受信部は、特定情報を通知された携帯通信端末、から送信されたコマンドを受信する。アクチュエータ駆動部は、切換制御を実行する。切換制御は、受信したコマンドに基づきアクチュエータの動作を切り換える制御である。判断部は、携帯通信端末から送信される要求信号に基づき、携帯通信端末との通信コネクションを確立するか否かの判断を行う。判断部は、パスワード情報の適否に基づき判断を行う。パスワード情報は、要求信号に含まれる。特定情報には、パスワード情報が含まれる。
【００１７】
本発明の第５観点に係る空気調和機では、特定情報通知部が、パスワード情報を含む特定情報を携帯通信端末に通知し、判断部が、携帯通信端末から送信される要求信号に含まれるパスワード情報の有無に基づき携帯通信端末との通信コネクションを確立するか否かの判断を行う。これにより、空気調和機がホテル等の宿泊施設やレンタルルーム等、利用者が一時的に滞在する施設（すなわち、利用者と管理者とが一致しない空間）に設置される場合において、コマンド入力装置として機能させる携帯通信端末を制限することが可能となり、操作者を施設の管理者及び利用者（すなわち、利用権限のある者）に制限することが可能となる。特に、既に施設の利用を終えた退去者（すなわち、利用権限のない者）の携帯通信端末による運転状態の切換えを制限することが可能となる。その結果、空気調和機が利用者と管理者とが一致しない空間に設置される場合においても、空気調和機の運転状態を利用権限のない部外者によって切り換えられることが抑制される。よって、セキュリティ性が向上する。
【００１８】
なお、ここでの「パスワード情報の適否」には、パスワード情報の正誤並びにパスワード情報の有無が含まれる。
【００１９】
また、ここでの「空気調和機」には、エアコンの室内ユニット、空気清浄機、換気装置、除湿機等、対象空間に設置され空気調和を行う各種装置が含まれる。
【００２０】
本発明の第６観点に係る空気調和機は、第４観点又は第５観点に係る空気調和機であって、通信コネクションには、管理者接続と、利用者接続と、が含まれる。管理者接続は、管理者の携帯通信端末との通信コネクションである。利用者接続は、管理者以外の利用者の携帯通信端末との通信コネクションである。本発明の第６観点に係る空気調和機は、管理者パスワード記憶部と、利用者パスワード記憶部と、をさらに備える。管理者パスワード記憶部は、管理者パスワード情報を記憶する。管理者パスワード情報は、管理者接続に必要なパスワード情報である。利用者パスワード記憶部は、利用者パスワード情報を記憶する。利用者パスワード情報は、利用者接続に必要なパスワード情報である。判断部は、要求信号に含まれる管理者パスワード情報の適否に基づき、管理者接続を確立するか否かの判断を行う。判断部は、要求信号に含まれる利用者パスワード情報の適否に基づき、利用者接続を確立するか否かの判断を行う。
【００２１】
これにより、空気調和機が利用者と管理者とが一致しない空間に設置される場合において、空気調和機と携帯通信端末との間で確立される通信コネクション毎に、運転状態のうち切換可能な設定項目を設定することが可能となる。その結果、一般的な操作に関しては各利用者に許容する一方で、特定の操作に関しては管理者のみが行えるように管理することが可能となる。よって、セキュリティ性をさらに向上させることが可能となる。
【００２２】
本発明の第７観点に係る空気調和機は、第１観点から第６観点のいずれかに係る空気調和機であって、設定項目情報記憶部をさらに備える。設定項目情報記憶部は、設定項目情報を記憶する。設定項目情報は、許可項目を特定する情報である。許可項目は、運転状態のうち、携帯通信端末によって切換可能な設定項目である。アクチュエータ駆動部は、携帯通信端末から送信されたコマンドのうち、設定項目情報において特定される許可項目以外の設定項目の切換えを指示するコマンドによっては、切換制御を実行しない。
【００２３】
これにより、空気調和機が利用者と管理者とが一致しない空間に設置される場合において、管理者以外の利用者の携帯通信端末によって、切換可能な設定項目（許可項目）が指定される。その結果、一般的な操作に関しては各利用者に許容する一方で、特定の操作に関しては管理者のみが行えるように管理することが容易に可能となる。よって、セキュリティ性をさらに向上させることが可能となるとともに、空気調和機を管理するうえで利便性に優れる。
【００２４】
本発明の第８観点に係る空気調和機は、第１観点から第７観点のいずれかに係る空気調和機であって、コマンド受信部は、無線通信ネットワークを介して、携帯通信端末と通信を行う。無線通信ネットワークは、所定の無線通信規格を用いて構築される。特定情報通知部は、無線通信ネットワークとは異なる他の通信ネットワーク又は他の通知手段によって、携帯通信端末に特定情報を通知する。
【００２５】
これにより、携帯通信端末からコマンドを受信する場合（すなわち、携帯通信端末が入力装置として機能する場合）に利用される無線通信ネットワークとは別の通信ネットワーク又は通知手段を用いて、特定情報が携帯通信端末に対して通知される。すなわち、専用の通信ネットワーク又は通知手段を用いて特定情報を通知することが可能となる。よって、セキュリティ性をさらに向上させることが可能となる。
【発明の効果】
【００２６】
本発明の第１観点及び第５観点に係る空気調和機では、空気調和機が利用者と管理者とが一致しない空間に設置される場合においても、空気調和機の運転状態を利用権限のない部外者によって切り換えられることが抑制される。よって、セキュリティ性が向上する。
【００２７】
本発明の第２観点に係る空気調和機では、空気調和機が利用者と管理者とが一致しない空間に設置される場合において空気調和機を管理するうえで、利便性に優れる。
【００２８】
本発明の第３観点に係る空気調和機では、空気調和機が利用者と管理者とが一致しない空間に設置される場合において、セキュリティ性が確保されつつ、さらに利便性に優れる。
【００２９】
本発明の第４観点及び第６観点に係る空気調和機では、セキュリティ性をさらに向上させることが可能となる。
【００３０】
第７観点に係る空気調和機では、セキュリティ性をさらに向上させることが可能となるとともに、空気調和機を管理するうえで利便性に優れる。
【００３１】
第８観点に係る空気調和機では、セキュリティ性をさらに向上させることが可能となる。
【図面の簡単な説明】
【００３２】
【図１】室内ユニットを含む空調システムの概略構成図。
【図２】端末の外観図。
【図３】施設における室内ユニットの設置態様を概略的に示した模式図。
【図４】利用空間における室内ユニットの設置態様を概略的に示した模式図。
【図５】設置時におけるリモコンの正面図。
【図６】空調システムにおいて構築される通信ネットワークを概略的に示した模式図。
【図７】リモコン制御部の構成と、リモコン制御部に接続されるユニットと、を概略的に示したブロック図。
【図８】設定項目テーブルの模式図。
【図９】リモコンにおいてエラー表示データが表示される際の一例を示した模式図。
【図１０】リモコン制御部の処理の流れの一例を示したフローチャート。
【図１１】空調システムにおいて、室内ユニット制御部、リモコン、管理サーバ、及び端末間で行われる処理の一例を模式的に示したシーケンス図。
【図１２】空調システムにおいて、室内ユニット制御部、リモコン、管理サーバ、及び端末間で行われる処理の一例を模式的に示したシーケンス図。
【発明を実施するための形態】
【００３３】
以下、本発明の一実施形態に係る室内ユニット２０（空気調和機）について説明する。なお、以下の実施形態は、本発明の具体例であって、本発明の技術的範囲を限定するものではなく、本発明の趣旨を逸脱しない範囲で適宜変更可能である。また、以下の実施形態において、上、下、左、右、正面（前）又は背面（後）といった方向は、図４、図５及び図９に示す方向を意味する。
【００３４】
本実施形態において、室内ユニット２０は、空調システム１００に含まれている。
【００３５】
（１）空調システム１００
図１は、室内ユニット２０を含む空調システム１００の概略構成図である。空調システム１００は、家屋等の屋内に含まれる対象空間において冷房や暖房等の空気調和を実現するシステムである。特に、空調システム１００は、ホテルの客室やレンタルルーム等、利用者が一時的に滞在する空間、すなわち管理者と利用者とが一致しない空間（以下、係る空間を「利用空間ＳＰ」と称する）を含む施設に設置されることを想定している。本実施形態において、空調システム１００は、複数（ここでは６つ）の利用空間ＳＰ（ＳＰ１、ＳＰ２、ＳＰ３、ＳＰ４、ＳＰ５及びＳＰ６）を含む施設１に適用されている（図３参照）。
【００３６】
空調システム１００は、冷媒回路を含み、冷媒回路において冷媒を循環させて蒸気圧縮方式の冷凍サイクルを行うことにより、利用空間ＳＰの冷房又は暖房を行う。空調システム１００は、冷房モード及び暖房モードを含む複数の運転モードを有しており、運転モードに応じた運転を行う。具体的に、空調システム１００は、冷房モード時には冷房運転を行い、暖房モード時には暖房運転を行う。
【００３７】
空調システム１００は、主として、熱源ユニットとしての１台の室外ユニット１０と、利用ユニットとしての複数台（ここでは６台）の室内ユニット２０（２０ａ、２０ｂ、２０ｃ、２０ｄ、２０ｅ及び２０ｆ）と、管理サーバ５０と、を備えている。本実施形態において、室内ユニット２０ａは利用空間ＳＰ１に設置され、室内ユニット２０ｂは利用空間ＳＰ２に設置され、室内ユニット２０ｃは利用空間ＳＰ３に設置され、室内ユニット２０ｄは利用空間ＳＰ４に設置され、室内ユニット２０ｅは利用空間ＳＰ５に設置され、室内ユニット２０ｆは利用空間ＳＰ６に設置されている（図３参照）。空調システム１００では、室外ユニット１０と、各室内ユニット２０と、がガス連絡配管ＧＰ及び液連絡配管ＬＰで接続されることで冷媒回路が構成されている。
【００３８】
ここで、空調システム１００は、管理者や利用者が保持する、無線通信機能を備えた携帯通信端末９０（以下、単に「端末９０」と称する）と通信可能に構成されており、端末９０から送信されたコマンドによって運転状態を切換可能に構成されている。すなわち、空調システム１００においては、端末９０を、運転状態を切り換えるコマンドを入力するための「コマンド入力装置」として機能させることが可能である。
【００３９】
ここでの端末９０は、図２に示すような無線通信用のアンテナを備えたスマートフォンやタブレットＰＣ等の情報処理端末を想定している（図２においては、無線通信用のアンテナが参照符号「９１」で示す破線で表わされている）。なお、端末９０は、ラップトップＰＣ等の他の情報処理機器であってもよい。端末９０は、管理サーバ５０（後述）からダウンロードしたアプリケーションをインストールすることで、所定のプロトコルを用いて室内ユニット２０（より詳細には、リモコン３０）と無線通信を行い、室内ユニット２０の運転状態を切換えるためのコマンドを送信することが可能となる。
【００４０】
また、端末９０は、近距離無線通信用のアンテナ及びリーダ／ライタを含む通信モジュールを有しており、コマンドを送信する際に用いる無線通信機能以外に、室内ユニット２０（より詳細には、リモコン３０）と情報の送受信を行うための近距離無線通信機能を有している（図２においては、近距離無線通信用の通信モジュールが参照符号「９２」で示す破線で表わされている）。本実施形態では、後述するリモコン３０（より詳細には、後述する通信モジュール３８）に端末９０を接近させることにより、室内ユニット２０及び端末９０間における近距離無線通信が行われる。
【００４１】
ここで、本実施形態において「無線通信」は、いわゆるWi-Fi（登録商標）やBluetooth（登録商標）等、無線LAN（Local Area Network）において所定の周波数（例えば２．４GHzや５GHz）を用いて行われる無線通信を想定している。また、「近距離無線通信」は、いわゆるNFC（Near Field Communication）等の通信規格であり、無線通信とは異なる周波数（例えば１３．５６ＭＨｚ）を用いて数センチからおよそ1メートル程度の近距離における双方向通信を可能とする通信方式を想定している。
【００４２】
（１−１）室外ユニット１０
室外ユニット１０は、室外（利用空間ＳＰ外）に設置される。室外ユニット１０は、主として、冷媒回路を構成する要素として、複数の冷媒配管、圧縮機、四路切換弁、室外熱交換器、膨張弁等の機器を有している（図示省略）。
【００４３】
また、室外ユニット１０は、室外ユニット１０内の各種アクチュエータの動作を切り換える切換制御を実行する室外ユニット制御部１１を有している。室外ユニット制御部１１は、ＣＰＵやメモリ等で構成されるマイクロコンピュータである。室外ユニット制御部１１は、室外ユニット１０内に配置される基板に実装されている。室外ユニット制御部１１は、各室内ユニット２０の室内ユニット制御部２１（後述）と、通信線ｃｂ１を介して電気的に接続されており、互いに信号の送受信を行う。
【００４４】
（１−２）室内ユニット２０（空調室内機）
図３は、施設１における室内ユニット２０の設置態様を概略的に示した模式図である。図４は、利用空間ＳＰにおける室内ユニット２０の設置態様を概略的に示した模式図である。
【００４５】
室内ユニット２０は、利用空間ＳＰの、天井に設置される天井埋込型、内壁に設置される壁掛型、又は床面に設置される床置型等の空調室内機である。図３に示すように、各利用空間ＳＰにおいては、リモコン３０を含む１台の室内ユニット２０が設置されている。利用空間ＳＰにおいて、各室内ユニット２０は、図４に示すように、その本体部分の一部（吸気口及び排気口）が天井ＣＩから露出するように設置されている。
【００４６】
また、室内ユニット２０は、室内ユニット２０内の各種アクチュエータの動作を切り換える切換制御を実行する室内ユニット制御部２１（アクチュエータ駆動部）を有している。室内ユニット制御部２１は、室内ユニット２０内に配置される基板に実装されている。室内ユニット制御部２１は、室外ユニット制御部１１と、通信線ｃｂ１を介して電気的に接続されており、互いに信号の送受信を行う。室内ユニット制御部２１は、リモコン制御部３９（後述）からコマンドを出力されると、当該コマンドを必要に応じて室外ユニット制御部１１へ転送する。
【００４７】
また、室内ユニット２０は、入力装置としてのリモコン３０を有している。リモコン３０は、いわゆる有線式のリモートコントロール装置であって、通信線ｃｂ２を介して室内ユニット制御部２１と電気的に接続されている。リモコン３０は、室内ユニット２０本体とともに利用空間ＳＰに設置され、室内の内壁等に設置される。図４に示すように、本実施形態において、リモコン３０は、利用空間ＳＰの側壁ＳＷに取付部材（図示省略）を介して設置されている。
【００４８】
また、リモコン３０は、空調システム１００の発停（運転及び停止）、運転モード、設定温度、設定風量、設定風向、タイマー設定等の設定項目の変更や切換えを行うための各種コマンドを、空調システム１００に入力するためのコマンド入力装置として機能する。具体的には、リモコン３０に設けられた所定の入力手段（後述の発停切換キー３５及びタッチスクリーン３６）を用いて各種コマンドを入力することが可能である。
【００４９】
また、リモコン３０は、端末９０と無線通信を行うための無線通信アダプタ３７を含んでいる。リモコン３０は、無線通信アダプタ３７を用いて端末９０との間に無線ネットワークＮＷ１を形成し、無線通信を行う。具体的に、リモコン３０は、所定のプロトコルを用いて端末９０との通信コネクションを確立した状態で、端末９０と無線通信を行う。
【００５０】
また、リモコン３０は、近距離線通信用のアンテナやリーダ／ライタを含む近距離無線通信モジュール３８を有しており、端末９０と近距離無線通信を行い情報の送受信を行うことが可能である。リモコン３０は、近距離無線通信モジュール３８を用いて、端末９０との間に、近距離無線ネットワークＮＷ２を形成し、近距離無線通信を行う。
【００５１】
また、リモコン３０は、空調システム１００の運転状態や設定項目を表示する表示装置としても機能する。例えば、リモコン３０は、運転状態における室内ユニット２０の運転モード、設定温度、設定風量、風向、タイマー設定又は時刻等の設定項目を、文字又は図形により表示する。また、リモコン３０は、エラーが生じていることを利用者に通知するエラー表示データ（後述）を表示する。
【００５２】
リモコン３０の詳細については、後述の「（２）リモコン３０の詳細」において説明する。
【００５３】
（１−３）管理サーバ５０
管理サーバ５０は、ＣＰＵやメモリ等を含むコンピュータである。管理サーバ５０は、例えば、利用空間ＳＰから離れた遠隔地に配置されている。管理サーバ５０は、通信線ｃｂ３を介して広域ネットワークＮＷ３に接続されている。広域ネットワークＮＷ３は、インターネット等のWAN（Wide Area Network）である。管理サーバ５０は、広域ネットワークＮＷ３を介して、端末９０と通信可能である。
【００５４】
管理サーバ５０は、ＲＡＭ、ＲＯＭ、及びＨＤＤ等のメモリに所定の記憶領域を含んでおり、端末９０をコマンド入力装置として機能させるためのアプリケーションプログラム（以下、単に「アプリケーション」と称する）を記憶している。管理サーバ５０は、端末９０から送信された所定の信号（アプリケーション要求信号）を受信すると、アプリケーション要求信号の送信元の端末９０に対してアプリケーションを送信する。
【００５５】
これにより、端末９０は、広域ネットワークＮＷ３を介して管理サーバ５０からアプリケーションをダウンロードすることが可能である。
【００５６】
（２）リモコン３０の詳細
図５は、設置時におけるリモコン３０の正面図である。リモコン３０は、例えば合成樹脂製のケーシング３１を有している。ケーシング３１は、厚みが高さ及び幅よりも短い薄型の筐体であって、正面視において略長方形状を呈している。ケーシング３１は、リモコン３０が側壁ＳＷに設置された状態において、利用空間ＳＰ方向（前方向）に面する前面部３２を含んでいる。ケーシング３１は、ガラス又はアクリル樹脂等で構成された透明のカバー３２ａを有している。カバー３２ａは、前面部３２の中央部分に配置されている。
【００５７】
リモコン３０は、ケーシング３１の内部に、主として、発停切換キー３５と、タッチスクリーン３６と、無線通信アダプタ３７と、近距離無線通信モジュール３８と、リモコン制御部３９（図６、図７）と、を有している。
【００５８】
（２−１）発停切換キー３５
発停切換キー３５は、空調システム１００の運転を開始又は停止させるコマンドをユーザが入力するプッシュ式のボタンである。具体的に、空調システム１００が停止状態にある場合に発停切換キー３５を押下されると、空調システム１００は運転を開始する。また、空調システム１００が運転状態にある場合に発停切換キー３５を押下されると、空調システム１００は停止する。
【００５９】
発停切換キー３５は、ケーシング３１の正面側の左上部に配置されている。発停切換キー３５は、ケーシング３１に形成された開口から正面側に露出するキートップと、ケーシング３１内に収容された物理キー電極部を含んでいる（図示省略）。物理キー電極部はリモコン制御部３９と接続されており、発停切換キー３５が押下されるとリモコン制御部３９へ所定の信号が出力される。
【００６０】
（２−２）タッチスクリーン３６
タッチスクリーン３６は、リモコン３０の正面側の中央部分に配置されている。タッチスクリーン３６は、リモコン３０において、各種コマンドを入力するための入力手段として機能する。具体的に、タッチスクリーン３６は、複数のタッチ入力部３６ａを有している。各タッチ入力部３６ａは各種設定項目と関連付けられており、ユーザは各タッチ入力部３６ａを指やスタライスペン等でタッチすることで所望のコマンドを入力することが可能である。例えば、ユーザは、対応するタッチ入力部３６ａをタッチすることで、設定温度、風量、風向、時刻、及びタイマー機能のＯＮ／ＯＦＦ等の設定を行うことが可能である。
【００６１】
また、タッチスクリーン３６は、各種の情報を表示する表示手段としても機能する。具体的に、タッチスクリーン３６は、フルドットマトリクスの液晶表示部とバックライトを有する表示部３６ｂを有している。表示部３６ｂは、運転状態において、各タッチ入力部３６ａと重畳するように所定のアイコンや情報を表示する。当該表示により、利用者が各タッチ入力部３６ａに関連付けられた各種コマンドを識別できるようになっている。また、表示部３６ｂは、各種エラーが生じた際に、エラーが生じたことを利用者に通知するべく生成されたエラー表示データを表示する。これにより、利用者は、生じたエラーを把握できるようになっている。
【００６２】
（２−３）無線通信アダプタ３７（コマンド受信部）
無線通信アダプタ３７（以下、単に「アダプタ３７」と称する）は、リモコン３０及び端末９０間における１対１の通信コネクションを確立するネットワークアダプタであり、リモコン３０及び端末９０間におけるアクセスポイントモードによる無線通信を可能とする。すなわち、アダプタ３７は、室内ユニット２０及び端末９０間で無線ネットワークＮＷ１を構築するための機能部である。
【００６３】
アダプタ３７には、固有の機器識別子（例えば、ＭＡＣアドレス等、機器固有の情報）が記憶されている。機器識別子は、アダプタ３７を一意に識別する情報となる。なお、リモコン３０にはアダプタ３７が１つ配置されているため、アダプタ３７の機器識別子は、リモコン３０（室内ユニット２０）を一意に識別する識別情報として機能する。アダプタ３７は、ケーシング３１内において、タッチスクリーン３６の上方に配置されている。
【００６４】
（２−４）近距離無線通信モジュール３８
近距離無線通信モジュール３８（以下、単に「通信モジュール３８」と称する）は、リモコン３０及び携帯通信端末９０間における近距離無線通信を行うためのユニットである。通信モジュール３８は、端末９０の通信モジュール９２に接近されることで、磁界を発生させ端末９０の通信モジュール９２内のアンテナに誘導電流を生じさせる。これにより、近距離無線ネットワークＮＷ２が形成され、リモコン３０及び端末９０間において近距離無線通信による情報の交換（データの読み書き）が可能となる。
【００６５】
通信モジュール３８は、ケーシング３１内において、タッチスクリーン３６の下方に配置されている。ケーシング３１の前面部３２には、利用者が端末９０及びリモコン３０間における近距離無線通信を行う際（すなわち、端末９０を通信モジュール３８に接近させる際）に通信モジュール３８の位置を把握しやすいように、正面視において通信モジュール３８に重畳する位置に、所定のマーク及びテキストが印字されたラベル３８ａが貼り付けられている。
【００６６】
（２−５）リモコン制御部３９
リモコン制御部３９は、ＣＰＵやメモリ等で構成されるマイクロコンピュータを含み、ケーシング３１内に配置される基板に実装されている。リモコン制御部３９は、通信線ｃｂ２を介して室内ユニット制御部２１と接続されており、電力の供給を受けるとともに互いに信号の送受信を行う。また、リモコン制御部３９は、配線を介して発停切換キー３５及びタッチスクリーン３６（タッチ入力部３６ａ及び表示部３６ｂ）と接続されており、発停切換キー３５及びタッチ入力部３６ａにコマンドが入力された際に、当該コマンドを受け付けて室内ユニット制御部２１へ出力する。また、リモコン制御部３９は、状況に応じて表示データを生成し、運転状態を示すアイコンや各種情報を表示部３６ｂにおいて表示させる。
【００６７】
また、リモコン制御部３９は、配線を介してアダプタ３７と接続されており、アダプタ３７を介して端末９０と無線通信を行う。また、リモコン制御部３９は、配線を介して通信モジュール３８と接続されており、通信モジュール３８を介して端末９０と近距離無線通信を行う。
【００６８】
（３）空調システム１００において構築されるネットワーク
図６は、空調システム１００において構築される通信ネットワークを概略的に示した模式図である。空調システム１００では、室外ユニット制御部１１と室内ユニット制御部２１とが通信線ｃｂ１で接続されるとともに、室内ユニット制御部２１とリモコン制御部３９とが通信線ｃｂ２で接続されている。また、リモコン制御部３９は、端末９０との間に無線ネットワークＮＷ１を形成し、端末９０と無線通信を行う。また、リモコン制御部３９は、端末９０との間に近距離無線ネットワークＮＷ２を形成し、端末９０と近距離無線通信を行う。また、管理サーバ５０は、通信線ｃｂ３によって広域ネットワークＮＷ３と接続されており、端末９０と、広域ネットワークＮＷ３を介して通信可能である。なお、端末９０は、アンテナ９１を用いて広域ネットワークＮＷ３に接続可能である。
【００６９】
（４）リモコン制御部３９の詳細
図７は、リモコン制御部３９の構成と、リモコン制御部３９に接続されるユニットと、を概略的に示したブロック図である。
【００７０】
リモコン制御部３９は、インターフェース６０ａを介して、室内ユニット制御部２１、発停切換キー３５、及びタッチスクリーン３６と、電気的に接続されている。また、リモコン制御部３９は、アダプタ３７を介して携帯通信端末９０と無線通信を行えるように、配線でアダプタ３７と電気的に接続されている。また、リモコン制御部３９は、通信モジュール３８を介して携帯通信端末９０と無線通信を行えるように、配線で通信モジュール３８と電気的に接続されている。
【００７１】
リモコン制御部３９は、主として、記憶部６１、入力制御部６２、表示データ生成部６３、表示データ出力部６４、コマンド出力部６５、第１通信制御部６６、第２通信制御部６７、通知部６８、接続制御部６９、及びパスワード生成部７０等の機能部を含んでいる。
【００７２】
（４−１）記憶部６１（特定情報記憶部、管理者パスワード記憶部、利用者パスワード記憶部）
記憶部６１は、リモコン制御部３９に含まれるＲＯＭやＲＡＭ等のメモリによって構成されており、複数の記憶領域を有している。具体的に、記憶部６１は、プログラム記憶領域６１１と、コマンド記憶領域６１２と、表示データ記憶領域６１３と、アドレス記憶領域６１４と、識別情報記憶領域６１５と、パスワード情報記憶領域６１６と、有効期間記憶領域６１７と、設定項目情報記憶領域６１８と、エラーフラグ６１９と、を有している。
【００７３】
プログラム記憶領域６１１には、リモコン制御部３９の各部において実行される各種処理を定義した制御プログラムが格納されている。
【００７４】
コマンド記憶領域６１２には、リモコン制御部３９に入力される信号が格納される。例えば、コマンド記憶領域６１２には、発停切換キー３５及びタッチスクリーン３６に入力されたコマンドが格納される。また、コマンド記憶領域６１２には、アダプタ３７において受信したコマンドが格納される。
【００７５】
表示データ記憶領域６１３は、表示データ生成部６３によって生成された表示データを記憶している。
【００７６】
アドレス記憶領域６１４は、管理サーバ５０の広域ネットワークＮＷ３における通信アドレスを記憶している。より詳細には、アドレス記憶領域６１４は、管理サーバ５０に含まれるメモリ内におけるアプリケーションが格納されている記憶領域を特定する通信アドレス（以下、「アプリケーションアドレス」と称する）を記憶している。アプリケーションアドレスは、管理者によって予めアドレス記憶領域６１４に格納される。
【００７７】
識別情報記憶領域６１５は、リモコン制御部３９（リモコン３０）の識別情報を記憶している。なお、識別情報は、端末９０との通信コネクションを確立する際に、端末９０に対して要求する情報の一つである。
【００７８】
パスワード情報記憶領域６１６は、端末９０と通信コネクションを確立する際に、端末９０に対して識別情報とともに要求するパスワード情報を記憶している。パスワード情報は、所定のビット数を有するデータである。より詳細には、パスワード情報記憶領域６１６には、管理者の端末９０と通信コネクション（管理者接続）を確立する際に端末９０に対して要求する管理者パスワード情報と、管理者以外の一般利用者の端末９０と通信コネクション（利用者接続）を確立する際に要求する利用者パスワード情報と、を個別に記憶している。なお、管理者パスワード情報は、予め管理者によって設定され、パスワード情報記憶領域６１６に格納される。また、利用者パスワード情報は、パスワード生成部７０によって所定のタイミングで生成（更新）され、パスワード情報記憶領域６１６に格納される。
【００７９】
有効期間記憶領域６１７は、端末９０と通信コネクションを確立する際に設定される、通信コネクションの有効期間（操作可能期間）を記憶している。有効期間は管理者によって予め設定され、有効期間記憶領域６１７に格納される。なお、本実施形態において、有効期間は２４時間に設定されている。
【００８０】
設定項目情報記憶領域６１８には、一般利用者の端末９０と通信コネクション（利用者接続）を確立する際に、受付けを許容するコマンド（以下、「許可コマンド」と称する）及び受付けを禁止するコマンド（以下、「禁止コマンド」と称する）に関する情報（設定項目情報）が格納されている。具体的には、設定項目情報記憶領域６１８には、例えば図８に示すような設定項目テーブルＴＢ１が設定項目情報として格納されている。設定項目テーブルＴＢ１においては、利用空間ＳＰ毎（すなわち、室内ユニット２０毎）に許可コマンドと禁止コマンドとがそれぞれ定義されている。図８に示す設定項目テーブルＴＢ１においては、利用空間ＳＰ１に関して、室内ユニット２０の「発停切換」（すなわち、運転・停止の切換え）、「設定温度選択」、「風量選択」、及び「設定風向選択」が許可コマンドとして定義されており、「運転モード切換」が禁止コマンドとして定義されている。このように、設定項目テーブルＴＢ１においては、一般利用者の端末９０によって切換可能な設定項目（許可項目）が許可コマンドとして特定されており、一般利用者の端末９０によっては切換が禁止される設定項目が禁止コマンドとして特定されている。許可コマンド及び禁止コマンドは、管理者によって設定され、設定項目テーブルＴＢ１において定義される。
【００８１】
エラーフラグ６１９は、各種エラー（例えば、通信コネクションの有効期間が経過していることによるエラーや、端末９０から禁止コマンドが送信されたことによるエラー等）の有無を識別するためのフラグである。エラーフラグ６１９は、生じたエラーの種別に応じて所定のビットを立てられる。
【００８２】
（４−２）入力制御部６２
入力制御部６２は、発停切換キー３５及びタッチスクリーン３６に入力されたコマンドをコマンド記憶領域６１２に格納する。
【００８３】
（４−３）表示データ生成部６３
表示データ生成部６３は、状況に応じて、タッチスクリーン３６において表示させる表示データを生成する。特に、表示データ生成部６３は、エラーフラグ６１９が立てられると、エラーが生じたことを利用者に通知すべく、所定の表示データ（エラー表示データ）を生成する。表示データ生成部６３は、生成した表示データを表示データ記憶領域６１３に格納する。
【００８４】
なお、表示データ生成部６３は、生じたエラーの種別に応じてエラー表示データを生成する。例えば、表示データ生成部６３は、通信コネクションの有効期間が終了した端末９０（以下、「タイムアウト端末９０」と称する）からのコマンド（以下、「無効コマンド」と称する）を受信したことによるエラーの発生時には、タッチスクリーン３６において図９に示すような表示が行われるように、エラー表示データを生成する。図９では、タッチスクリーン３６において、エラーが生じた事実及びエラーの種別を識別するエラーコードを示すテキスト、及び通信コネクションの有効期間が終了したことに伴い通信コネクションを新たに確立することを促すテキストが表示されている。これにより、利用空間ＳＰに滞在中にエラー端末９０によってコマンドを入力した利用者は、新たな通信コネクション（利用者接続）の確立に係る作業を促されることになる。
【００８５】
（４−４）表示データ出力部６４
表示データ出力部６４は、表示データ記憶領域６１３に新たに格納された表示データをタッチスクリーン３６（表示部３６ｂ）に出力して、タッチスクリーン３６において表示させる。
【００８６】
（４−５）コマンド出力部６５
コマンド出力部６５は、コマンド記憶領域６１２に格納されているコマンドを室内ユニット制御部２１へ出力する。
【００８７】
（４−６）第１通信制御部６６
第１通信制御部６６は、アダプタ３７を介した端末９０との無線通信を制御する機能部である。第１通信制御部６６は、所定のプロトコルを用いて信号の送受信を行うことで、端末９０との無線通信を実現する。第１通信制御部６６は、端末９０から送信された信号に含まれる有効期間情報（操作可能期間情報）を参照し、通信終了タイミング（後述）が経過している場合には、係る端末９０（タイムアウト端末９０）から送信されたコマンド（無効コマンド）についてはコマンド記憶領域６１２に格納せずに破棄し、エラーフラグ６１９をたてる。
【００８８】
また、第１通信制御部６６は、設定項目情報記憶領域６１８に格納されている設定項目情報を参照し、端末９０から送信された信号に含まれるコマンドが、禁止コマンドである場合には、受信した禁止コマンドをコマンド記憶領域６１２に格納せずに破棄し、エラーフラグ６１９をたてる。
【００８９】
（４−７）第２通信制御部６７
第２通信制御部６７は、通信モジュール３８を介した端末９０との近距離無線通信を制御する機能部である。第２通信制御部６７は、所定のプロトコルを用いて信号の送受信を行うことで、端末９０との近距離無線通信を実現する。
【００９０】
（４−８）通知部６８（特定情報通知部）
通知部６８は、通信モジュール３８を介した近距離無線通信によって端末９０から所定の信号（アドレス要求信号）を受信した際に、アプリケーションアドレスを端末９０に対して通知する機能部である。具体的に、通知部６８は、アドレス要求信号を受信すると、アドレス記憶領域６１４から管理サーバ５０のアプリケーションアドレスを取得し、取得したアプリケーションアドレスを近距離無線通信によって通信モジュール３８を介して端末９０へ送信する。より詳細には、通知部６８は、アプリケーションアドレスに対応するＵＲＬ（Uniform Resource Locator）を送信する。
【００９１】
また、通知部６８は、通信モジュール３８を介した近距離無線通信によって端末９０から所定の信号（接続情報要求信号）を受信した際に、接続情報を端末９０に対して通知する機能部である。接続情報は、リモコン３０と端末９０との通信コネクションを確立する際に端末９０に対して要求する情報であり、具体的には、識別情報記憶領域６１５に格納されている識別情報、及びパスワード情報記憶領域６１６に格納されているパスワード情報を含む情報である。通知部６８は、接続情報要求信号を受信すると、識別情報記憶領域６１５から識別情報を取得するとともにパスワード情報記憶領域６１６からパスワード情報（より詳細には利用者パスワード情報）を取得し、「接続情報」として近距離無線通信によって通信モジュール３８を介して端末９０へ送信する。
【００９２】
なお、以下の説明においては、接続情報と有効期間情報とを併せて、「特定情報」と称する。
【００９３】
（４−９）接続制御部６９（判断部）
接続制御部６９は、アダプタ３７を介した無線通信によって端末９０からの所定の信号（接続要求信号）を受信した際に、端末９０との通信コネクションを確立する機能部である。具体的に、接続制御部６９は、受信した接続要求信号に、通知した接続情報が含まれていない場合には、接続要求信号の送信元の端末９０と通信コネクションを確立しない。一方、接続制御部６９は、受信した接続要求信号に、通知した接続情報が含まれている場合には、接続要求信号の送信元の端末９０と通信コネクションを確立する。すなわち、接続制御部６９は、端末９０から送信される要求信号に含まれる接続情報の有無（又は正誤）に基づき端末９０との通信コネクションを確立するか否かの判断を行う。
【００９４】
より詳細には、接続制御部６９は、受信した接続要求信号において接続情報として管理者パスワード情報が含まれる場合には、管理者用の通信コネクション（管理者接続）を確立する。一方、接続制御部６９は、受信した接続要求信号において接続情報として利用者パスワード情報が含まれる場合には、一般利用者用の通信コネクション（利用者接続）を確立する。すなわち、管理者接続は、管理者が保持する端末９０とリモコン３０との間で確立される通信コネクションであり、利用者接続は、管理者以外の一般利用者が保持する端末９０とリモコン３０との間で確立される通信コネクションである。
【００９５】
接続制御部６９は、端末９０との通信コネクション（利用者接続）を確立する際、通信コネクションの有効期間（換言すると端末９０がコマンド入力装置として機能する期間）を設定する。具体的に、接続制御部６９は、通信コネクション（利用者接続）を確立した時刻を通信開始タイミングとして設定する。そのうえで、接続制御部６９は、有効期間記憶領域６１７に記憶されている有効期間を参照し、通信開始タイミングに有効期間を加算したタイミング（すなわち、通信開始タイミングから起算して有効期間が経過するタイミング）を通信終了タイミングとして設定する。接続制御部６９は、設定した通信開始タイミングと通信終了タイミングとを特定する有効期間情報（操作可能期間情報）を端末９０に送信する。
【００９６】
なお、通信開始タイミングは、有効期間情報の通知先の端末９０によって運転状態を切り換えることが可能となるタイミングと言い換えられる。また、通信終了タイミングは、有効期間情報の通知先の端末９０によって運転状態を切り換えることが不可能となるタイミングと言い換えられる。
【００９７】
（４−１０）パスワード生成部７０
パスワード生成部７０は、定期的に新たな利用者パスワード情報を生成し、生成した利用者パスワード情報をパスワード情報記憶領域６１６に格納する。本実施形態においては、パスワード生成部７０は、有効期間記憶領域６１７に記憶されている有効期間が経過する毎に、新たな利用者パスワード情報を生成する（すなわち、パスワード情報記憶領域６１６に格納される利用者パスワード情報を更新する）。
【００９８】
（５）リモコン制御部３９による処理の流れ
以下、図１０を参照して、リモコン制御部３９による処理の流れの一例を説明する。図１０は、リモコン制御部３９の処理の流れの一例を示したフローチャートである。
【００９９】
空調システム１００において、リモコン制御部３９は、図１０のステップＳ１０１からステップＳ１１５に示すような流れで処理を実行する。なお、図１０に示す処理の流れは、適宜変更が可能であり、処理が適正に行われる限り、いずれかのステップの順序を入れ換えてもよいし、いずれかのステップが同時に実行されてもよい。
【０１００】
ステップＳ１０１において、リモコン制御部３９は、近距離無線通信によって端末９０からのアプリケーションアドレスの通知要求信号を受信しない場合（すなわち、「ＮＯ」の場合）には、ステップＳ１０３へ進む。一方、リモコン制御部３９は、近距離無線通信によって端末９０からのアプリケーションアドレスの通知要求信号を受信した場合（すなわち、「ＹＥＳ」の場合）には、ステップＳ１０２へ進む。
【０１０１】
ステップＳ１０２において、リモコン制御部３９は、端末９０からアプリケーションアドレスの通知要求信号を受信したことを受けて、近距離無線通信により管理サーバ５０のアプリケーションアドレスを端末９０へ送信する。その後、ステップＳ１０３へ進む。
【０１０２】
ステップＳ１０３において、リモコン制御部３９は、近距離無線通信によって端末９０からのアプリケーションアドレスの接続情報要求信号を受信しない場合（すなわち、「ＮＯ」の場合）には、ステップＳ１０５へ進む。一方、リモコン制御部３９は、近距離無線通信によって端末９０からの接続情報要求信号を受信した場合（すなわち、「ＹＥＳ」の場合）には、ステップＳ１０４へ進む。
【０１０３】
ステップＳ１０４において、リモコン制御部３９は、端末９０から接続情報要求信号を受信したことを受けて、近距離無線通信により接続情報（リモコン３０の識別情報及び利用者パスワード情報）を端末９０へ送信する。その後、ステップＳ１０５へ進む。
【０１０４】
ステップＳ１０５において、リモコン制御部３９は、無線通信によって端末９０からの接続要求信号を受信しない場合（すなわち、「ＮＯ」の場合）には、ステップＳ１１１へ進む。一方、リモコン制御部３９は、無線通信によって端末９０からの接続要求信号を受信した場合（すなわち、「ＹＥＳ」の場合）には、ステップＳ１０６へ進む。
【０１０５】
ステップＳ１０６において、リモコン制御部３９は、受信した接続要求信号において通知した識別情報が含まれていない場合（すなわち、「ＮＯ」の場合）には、接続要求信号の送信元の端末９０と通信コネクションを確立しないで、ステップＳ１１５へ進む。一方、接続制御部６９は、受信した接続要求信号に、通知した識別情報が含まれている場合（すなわち、「ＹＥＳ」の場合）には、ステップＳ１０７へ進む。
【０１０６】
ステップＳ１０７において、リモコン制御部３９は、受信した接続要求信号に接続情報として管理者パスワード情報が含まれていない場合（すなわち、「ＮＯ」の場合）には、ステップＳ１０９へ進む。一方、リモコン制御部３９は、受信した接続要求信号に接続情報として管理者パスワード情報が含まれている場合（すなわち、「ＹＥＳ」の場合）には、ステップＳ１０８へ進む。
【０１０７】
ステップＳ１０８において、リモコン制御部３９は、受信した接続要求信号に接続情報として管理者パスワード情報が含まれていたことを受けて、接続要求信号の送信元の端末９０と、管理者用の通信コネクション（管理者接続）を確立する。その後、ステップＳ１０９へ進む。
【０１０８】
ステップＳ１０９において、リモコン制御部３９は、受信した接続要求信号に接続情報として利用者パスワード情報が含まれていない場合（すなわち、「ＮＯ」の場合）には、ステップＳ１１５へ進む。一方、リモコン制御部３９は、受信した接続要求信号に接続情報として利用者パスワード情報が含まれている場合（すなわち、「ＹＥＳ」の場合）には、ステップＳ１１０へ進む。
【０１０９】
ステップＳ１１０において、リモコン制御部３９は、受信した接続要求信号に接続情報として利用者パスワード情報が含まれていたことを受けて、接続要求信号の送信元の端末９０と、一般利用者用の通信コネクション（利用者接続）を確立する。その後、ステップＳ１１１へ進む。
【０１１０】
ステップＳ１１１において、リモコン制御部３９は、発停切換キー３５及びタッチスクリーン３６にコマンドが入力されておらず、且つ、無線通信によって端末９０からコマンドを受信していない場合（すなわち、「ＮＯ」の場合）には、ステップＳ１０１に戻る。一方、リモコン制御部３９は、発停切換キー３５及びタッチスクリーン３６にコマンドが入力された場合、又は、無線通信によって端末９０からコマンドを受信した場合（すなわち、「ＹＥＳ」の場合）には、ステップＳ１１２へ進む。
【０１１１】
ステップＳ１１２において、リモコン制御部３９は、ステップＳ１１１において受信したコマンドがタイムアウト端末９０から送信された無効コマンドである場合（すなわち、「ＹＥＳ」の場合）には、ステップＳ１１５へ進む。一方、ステップＳ１１１において受信したコマンドがタイムアウト端末９０から送信された無効コマンドでない場合（すなわち、「ＮＯ」の場合）には、ステップＳ１１３へ進む。なお、図示は省略するが、リモコン制御部３９は、ステップＳ１１１において発停切換キー３５及びタッチスクリーン３６を介してコマンドを入力された場合、及び管理者接続を確立している端末９０（すなわち、管理者の端末９０）からコマンドを送信された場合には、ステップＳ１１４へ進む。
【０１１２】
ステップＳ１１３において、リモコン制御部３９は、ステップＳ１１１において受信したコマンドが許可コマンドでない場合、つまり禁止コマンドである場合（すなわち、「ＮＯ」の場合）には、ステップＳ１１５へ進む。一方、リモコン制御部３９は、ステップＳ１１１において受信したコマンドが許可コマンドである場合（すなわち、「ＹＥＳ」の場合）には、ステップＳ１１４へ進む。
【０１１３】
ステップＳ１１４において、リモコン制御部３９は、受信したコマンドを室内ユニット制御部２１（又は室外ユニット制御部１１）へ向けて出力する。その後、ステップＳ１０１に戻る。
【０１１４】
ステップＳ１１５において、リモコン制御部３９は、エラーが生じたこと（例えば、通信コネクションの有効期間が経過していることや、端末９０から禁止コマンドが送信されたこと）を利用者に通知すべく、所定のエラー表示データをタッチスクリーン３６に出力して表示させる。その後、ステップＳ１０１に戻る。
【０１１５】
（６）空調システム１００における処理の流れ
図１１及び図１２は、空調システム１００において、室内ユニット制御部２１、リモコン３０、管理サーバ５０、及び端末９０間で行われる処理の一例を模式的に示したシーケンス図である。図１１においては、期間Ｓ１から期間Ｓ４にかけての各部の処理が示されている。図１２においては、期間Ｓ５から期間Ｓ９にかけての各部の処理が示されている。
【０１１６】
（６−１）期間Ｓ１
図１１の期間Ｓ１においては、端末９０がアプリケーションをインストールして起動するまでの流れが示されている。
【０１１７】
まず、利用者が保有する端末９０をリモコン３０（通信モジュール３８）に接近させると、端末９０とリモコン３０との間で近距離無線ネットワークＮＷ２が形成されて近距離無線通信が開始され、端末９０からアドレス要求信号がリモコン３０に送信される。端末９０からのアドレス要求信号を受信したリモコン３０は、近距離無線ネットワークＮＷ２を介して、アドレス要求信号の送信元の端末９０に対してアプリケーションアドレスを送信する。
【０１１８】
リモコン３０から送信されたアプリケーションアドレスを受信した端末９０は、広域ネットワークＮＷ３を介して当該アプリケーションアドレスにアクセスして、管理サーバ５０に対してアプリケーション要求信号を送信する。アプリケーション要求信号を受信した管理サーバ５０は、アプリケーション要求信号の送信元の端末９０に対し、広域ネットワークＮＷ３を介してアプリケーションを送信する。すなわち、管理サーバ５０から端末９０にアプリケーションがダウンロードされる。管理サーバ５０からアプリケーションをダウンロードした端末９０は、当該アプリケーションをインストールして起動する。
【０１１９】
（６−２）期間Ｓ２
図１１の期間Ｓ２においては、端末９０がアプリケーションを起動後、端末９０とリモコン３０との間に通信コネクション（利用者接続）が確立されるまでの流れが示されている。
【０１２０】
利用者が、アプリケーションが起動した状態の端末９０を、リモコン３０（通信モジュール３８）に接近させると、端末９０とリモコン３０との間で近距離無線ネットワークＮＷ２が形成されて近距離無線通信が開始され、端末９０から接続情報要求信号がリモコン３０に送信される。端末９０からの接続情報要求信号を受信したリモコン３０は、近距離無線ネットワークＮＷ２を介して、接続情報要求信号の送信元の端末９０に対して接続情報（識別情報及び利用者パスワード情報）を送信する。
【０１２１】
リモコン３０から送信された接続情報を受信した端末９０は、受信した識別情報及び利用者パスワード情報を含む接続要求信号を、無線通信によって（すなわち無線ネットワークＮＷ１を介して）リモコン３０に対し送信する。接続要求信号を受信したリモコン３０は、接続要求信号に含まれる識別情報及び利用者パスワード情報が正しい場合（すなわち、通知した識別情報及び利用者パスワード情報と一致する場合）には接続要求信号の送信元の端末９０に対して所定の認証信号を送信して無線ネットワークＮＷ１における通信コネクション（利用者接続）を確立する。この際、リモコン３０は、無線ネットワークＮＷ１を介して有効期間情報を端末９０に送信する。
【０１２２】
（６−３）期間Ｓ３
図１１の期間Ｓ３においては、端末９０とリモコン３０との間に通信コネクション（利用者接続）が確立されてから、端末９０からのコマンド（許可コマンド）が受け付けられるまでの流れが示されている。なお、期間Ｓ３及び期間Ｓ４における「ｔ１」は、端末９０に対して送信された有効期間情報に係る有効期間を表わしている。
【０１２３】
利用者が端末９０にコマンド（許可コマンド）を入力し、リモコン３０に対し無線ネットワークＮＷ１を介して送信すると、リモコン３０は当該コマンドを受信し、当該コマンドが許可コマンドであるか否か、及びコマンドの送信元の端末９０がタイムアウト端末９０であるか否か（すなわち、通知された有効期間を経過している端末９０であるか否か）を判定する。そして、リモコン３０は、受信したコマンドが許可コマンドであって、通知された有効期間を経過していない端末９０から送信されたコマンドであれば、室内ユニット制御部２１に対して当該コマンドを出力する。これにより、通信コネクションが有効な端末９０から送信された許可コマンドが、室内ユニット制御部２１へ送信され、室内ユニット制御部２１及び室外ユニット制御部１１において、許可コマンドの内容に応じた各種アクチュエータの切換制御が実行される。
【０１２４】
（６−４）期間Ｓ４
図１１の期間Ｓ４においては、端末９０とリモコン３０との間に通信コネクション（利用者接続）が確立されてから、端末９０から送信されたコマンド（禁止コマンド）が破棄されるまでの流れが示されている。
【０１２５】
利用者が端末９０にコマンド（禁止コマンド）を入力し、リモコン３０に対し無線ネットワークＮＷ１を介して送信すると、リモコン３０は当該コマンドを受信し、当該コマンドが許可コマンドであるか否か、及びコマンドの送信元の端末９０がタイムアウト端末９０であるか否か（すなわち、通知された有効期間を経過している端末９０であるか否か）を判定する。そして、リモコン３０は、受信したコマンドが禁止コマンドであれば、室内ユニット制御部２１に対して出力することなく破棄する。これにより、禁止コマンドは室内ユニット制御部２１へ送信されることがなく、禁止コマンドによっては各種アクチュエータの切換制御が実行されないようになっている。
【０１２６】
また、リモコン３０は、エラーが生じたこと（禁止コマンドが送信されたこと）を利用者に通知すべく、エラー表示データを生成してタッチスクリーン３６において表示する。これにより、利用者は、自身が禁止コマンドを入力したことを把握できるようになっている。
【０１２７】
（６−５）期間Ｓ５
図１２の期間Ｓ５においては、端末９０とリモコン３０との間に通信コネクション（利用者接続）の有効期間（ｔ１）が経過してから、端末９０から送信されたコマンドが破棄されるまでの流れが示されている。
【０１２８】
利用者が、タイムアウト端末９０（通知された有効期間情報における有効期間を経過した端末９０）にコマンドを入力し、リモコン３０に対し無線ネットワークＮＷ１を介して送信すると、リモコン３０は当該コマンドを受信し、当該コマンドが許可コマンドであるか否か、及びコマンドの送信元の端末９０がタイムアウト端末９０であるか否か（すなわち、通知された有効期間を経過している端末９０であるか否か）を判定する。そして、リモコン３０は、受信したコマンドがタイムアウト端末９０から送信されたコマンド（無効コマンド）である場合には、当該無効コマンドを室内ユニット制御部２１に対して出力することなく破棄する。これにより、無効コマンドは室内ユニット制御部２１へ送信されることがなく、無効コマンドによっては各種アクチュエータの切換制御が実行されないようになっている。
【０１２９】
また、リモコン３０は、エラーが生じたこと（通信コネクションの有効期間が経過していること）を利用者に通知すべく、エラー表示データを生成してタッチスクリーン３６において表示する。この際、タッチスクリーン３６においては、図９に示すようなエラー表示データの表示が行われる。これにより、利用者は、通信コネクションが無効となったことを把握でき新たな通信コネクション（利用者接続）の確立に係る作業を促されるようになっている。
【０１３０】
（６−６）期間Ｓ６
図１２の期間Ｓ６においては、端末９０及びリモコン３０間の通信コネクション（利用者接続）の有効期間が経過した後、端末９０とリモコン３０との間に通信コネクション（利用者接続）が再度確立されるまでの流れが示されている。
【０１３１】
期間Ｓ６の処理の流れは基本的に期間Ｓ２と同一である。但し、期間Ｓ６においては、リモコン３０において利用者パスワード情報が更新されており、期間Ｓ２とは異なる接続情報（より詳細には利用者パスワード情報）がリモコン３０から端末９０に通知される。また、期間Ｓ６において端末９０に通知される有効期間情報は、期間Ｓ２において端末９０に通知される有効期間情報とは異なるデータであり、新たな通信開始タイミング及び通信終了タイミングを特定するものである。
【０１３２】
これにより、確立された通信コネクションの有効期間経過後においても利用空間ＳＰの利用を継続する利用者の端末９０（タイムアウト端末９０）は、リモコン３０と、新たに通信コネクション（利用者接続）を確立することが可能である。すなわち、室内ユニット２０では、通知部６８は、通知された有効期間情報において指定される有効期間を過ぎたタイムアウト端末９０に対して、新たな有効期間情報を含む接続情報を通知するように構成されている。
【０１３３】
（６−７）期間Ｓ７、Ｓ８及びＳ９
図１２の期間Ｓ７−Ｓ９における処理の流れは、期間Ｓ３−Ｓ５と基本的に同一である。
【０１３４】
（７）室内ユニット２０の特徴
（７−１）
上記実施形態に係る室内ユニット２０は、セキュリティ性に優れている。
【０１３５】
すなわち、利用者が所持する携帯通信端末と通信可能に構成され携帯通信端末を介して運転状態を切換可能に構成された空気調和機は、一般家庭のような利用者と管理者とが一致する空間に設置される以外にも、ホテルの客室やレンタルルーム等、利用者が一時的に滞在する空間（すなわち、利用者と管理者とが一致しない空間）に設置されるケースが考えられる。係るケースにおいては、空気調和機の設置空間において一時的に滞在する利用者に対して運転状態の切換えを許容する一方で、滞在を終えた利用者（退去者）に対して運転状態の切換えを制限することがセキュリティ上望まれる。しかし、従来の空気調和機が、利用者と管理者とが一致しない空間に設置された場合、利用権限のない退去者の携帯通信端末によっても運転状態の切換えが可能となるため、セキュリティ上の問題が懸念される。
【０１３６】
この点、上記実施形態に係る室内ユニット２０では、通知部６８が、特定情報（識別情報及び有効期間情報）を端末９０に通知し、第１通信制御部６６が、特定情報を通知された端末９０から受信した許可コマンドについてはコマンド記憶領域６１２へ記憶し、通知された有効期間を過ぎたタイムアウト端末９０から送信された無効コマンドについては破棄している。すなわち、上記実施形態に係る室内ユニット２０は、受信した端末９０からの許可コマンドが室内ユニット制御部２１へ出力され、無効コマンドが室内ユニット制御部２１へ出力されないように構成されている。換言すると、上記実施形態に係る室内ユニット２０は、室内ユニット制御部２１が、特定情報を通知された端末９０から送信された許可コマンドに基づき切換制御を実行する一方で、タイムアウト端末９０から送信された無効コマンドによっては切換制御を実行しないように構成されている。
【０１３７】
これにより、室内ユニット２０がホテル等の宿泊施設やレンタルルーム等、利用者が一時的に滞在する施設１（すなわち、利用者と管理者とが一致しない空間）に設置される場合において、コマンド入力装置として機能させる端末９０を制限することが可能となり、操作者を施設１の管理者及び利用者（すなわち、利用権限のある者）に制限することが可能となっている。特に、既に施設１の利用を終えた退去者（すなわち、利用権限のない者）の端末９０による運転状態の切換えを制限することが可能となっている。その結果、室内ユニット２０が利用者と管理者とが一致しない空間に設置される場合においても、室内ユニット２０を利用権限のない部外者に運転されることが抑制されている。よって、セキュリティ性に優れている。
【０１３８】
（７−２）
上記実施形態に係る室内ユニット２０では、通知部６８が、パスワード情報を含む特定情報を端末９０に通知し、接続制御部６９が、端末９０から送信される要求信号に含まれるパスワード情報の有無（適否）に基づき端末９０との通信コネクションを確立するか否かの判断を行っている。
【０１３９】
これにより、室内ユニット２０がホテル等の宿泊施設やレンタルルーム等、利用者が一時的に滞在する施設１（すなわち、利用者と管理者とが一致しない空間）に設置される場合において、コマンド入力装置として機能させる端末９０を制限することが可能となり、操作者を施設１の管理者及び利用者（すなわち、利用権限のある者）に制限することが可能となっている。特に、既に施設１の利用を終えた退去者の端末９０による運転状態の切換えを制限することが可能となっている。その結果、室内ユニット２０が利用者と管理者とが一致しない空間に設置される場合においても、室内ユニット２０を利用権限のない部外者に運転されることが抑制されている。よって、セキュリティ性に優れている。
【０１４０】
（７−３）
上記実施形態に係る室内ユニット２０では、端末９０に対して通知される有効期間情報において、通知先の端末９０によって運転状態を切り換えることが可能となるタイミングである通信開始タイミングと、通知先の端末９０によって運転状態を切り換えることが不可能となるタイミングである通信終了タイミングと、が特定されている。すなわち、利用者が操作を開始するタイミングに応じて有効期間（通信開始タイミング及び通信終了タイミング）が設定されている。これにより、室内ユニット２０が利用者と管理者とが一致しない空間に設置される場合において、室内ユニット２０を管理するうえで利便性に優れている。
【０１４１】
（７−４）
上記実施形態に係る室内ユニット２０では、通知部６８は、通知された有効期間情報において指定される有効期間を過ぎたタイムアウト端末９０のうち、利用空間ＳＰ内に存在するものに対して、新たな有効期間情報及び新たなパスワード情報を含む特定情報を通知するように構成されている。
【０１４２】
これにより、有効期間終了後においても利用空間ＳＰの利用を継続する利用者に対して、新たな有効期間を設定することが可能となっている。よって、室内ユニット２０が利用者と管理者とが一致しない空間に設置される場合においてセキュリティ性を確保しつつ利便性に優れている。
【０１４３】
（７−５）
上記実施形態に係る室内ユニット２０では、通知部６８から端末９０に通知される特定情報には利用者パスワード情報が含まれ、接続制御部６９が、端末９０から送信される接続要求信号に含まれる利用者パスワード情報の有無（適否）に基づき、端末９０との通信コネクション（利用者接続）を確立するか否かの判断を行っている。
【０１４４】
これにより、室内ユニット２０が利用者と管理者とが一致しない空間に設置される場合において、コマンド入力装置として機能させる端末９０をさらに制限することが可能となり、操作者を管理者及び特定の利用者（すなわち、利用権限のある者）に制限することが可能となっている。その結果、室内ユニット２０が利用者と管理者とが一致しない空間に設置される場合においても、利用権限のない部外者によって室内ユニット２０を運転されることが抑制されている。よって、セキュリティ性に優れている。
【０１４５】
（７−６）
上記実施形態に係る室内ユニット２０では、パスワード情報記憶領域６１６が、管理者接続に必要なパスワード情報である管理者パスワード情報、及び利用者接続に必要なパスワード情報である利用者パスワード情報を記憶し、接続制御部６９が、接続要求信号に含まれる管理者パスワード情報の有無（適否）に基づき管理者接続を確立するか否かの判断を行い、接続要求信号に含まれる利用者パスワード情報の有無（適否）に基づき利用者接続を確立するか否かの判断を行っている。
【０１４６】
これにより、室内ユニット２０が利用者と管理者とが一致しない空間に設置される場合において、室内ユニット２０と端末９０との間で確立される通信コネクション毎に、運転状態のうち切換可能な設定項目を設定することが可能となっている。その結果、一般的な操作に関しては各利用者に許容する一方で、特定の操作に関しては管理者のみが行えるように設定することが可能となっている。よって、セキュリティ性に優れている。
【０１４７】
（７−７）
上記実施形態に係る室内ユニット２０では、室内ユニット制御部２１が、端末９０から送信された禁止コマンド（すなわち、設定項目テーブルＴＢ１において特定される許可項目以外の設定項目の切換を指示するコマンド）によっては、切換制御を実行しないように構成されている。
【０１４８】
これにより、一般的な操作に関しては各利用者に許容する一方で、特定の操作に関しては管理者のみが行えるように管理することが容易に可能となっている。よって、セキュリティ性に優れるとともに、室内ユニット２０を管理するうえで利便性に優れている。
【０１４９】
（７−８）
上記実施形態に係る室内ユニット２０では、アダプタ３７は、無線ネットワークＮＷ１を介して、端末９０と通信を行う。通知部６８は、無線ネットワークＮＷ１とは異なる近距離無線ネットワークＮＷ２によって、端末９０に対して特定情報を通知している。
【０１５０】
すなわち、端末９０からコマンドを受信する場合（すなわち、端末９０が入力装置として機能する場合）に利用される無線ネットワークＮＷ１とは別の近距離無線ネットワークＮＷ２を用いて、特定情報が端末９０に対して通知されるようになっている。つまり、専用の通信ネットワークを用いて特定情報を通知することが可能となっている。よって、セキュリティ性に優れている。
【０１５１】
（８）変形例
上記実施形態は、以下の変形例に示すように適宜変形が可能である。なお、各変形例は、矛盾が生じない範囲で他の変形例と組み合わせて適用されてもよい。
【０１５２】
（８−１）変形例Ａ
上記実施形態では、リモコン制御部３９（通知部６８）が、通信モジュール３８を介した近距離無線通信によって端末９０からアドレス要求信号を受信した際に、アプリケーションアドレスに対応するＵＲＬをアドレス要求信号の送信元の端末９０へ送信することで、アプリケーションアドレスを端末９０へ通知していた。しかし、端末９０に対するアプリケーションアドレスの通知方法は、必ずしもこれに限定されない。
【０１５３】
例えば、リモコン制御部３９（通知部６８）が、通信モジュール３８を介した近距離無線通信によって端末９０からアドレス要求信号を受信した際に、アプリケーションアドレスに対応するＱＲコード（登録商標）やバーコード等のデータをアドレス要求信号の送信元の端末９０へ送信することで、アプリケーションアドレスを端末９０へ通知するように構成してもよい。
【０１５４】
また、例えば、リモコン制御部３９（表示データ生成部６３）が所定の表示データを生成し、アプリケーションアドレスに対応するＵＲＬ、ＱＲコード、又はバーコード等の情報がタッチスクリーン３６において表示されるように構成することで、アプリケーションアドレスを通知してもよい。
【０１５５】
（８−２）変形例Ｂ
上記実施形態では、リモコン制御部３９（通知部６８）が、通信モジュール３８を介した近距離無線通信によって端末９０から所定の信号（接続情報要求信号）を受信した際に、接続情報（識別情報及び利用者パスワード情報）を端末９０に対して通知していた。しかし、端末９０に対する接続情報の通知方法は、必ずしもこれに限定されない。
【０１５６】
例えば、リモコン制御部３９（通知部６８）が、通信モジュール３８を介した近距離無線通信によって端末９０から接続情報要求信号を受信した際に、接続情報に対応するＱＲコードやバーコード等のデータを接続情報要求信号の送信元の端末９０へ送信することで、接続情報を端末９０へ通知するように構成してもよい。
【０１５７】
また、例えば、リモコン制御部３９（表示データ生成部６３）が所定の表示データを生成して、接続情報、又は接続情報に対応するＱＲコード若しくはバーコード等のデータがタッチスクリーン３６において表示されるように構成することで、接続情報を通知してもよい。係る場合、リモコン３０において通信モジュール３８（すなわち、近距離無線通信機能）を省略してもよい。
【０１５８】
（８−３）変形例Ｃ
上記実施形態においては、リモコン３０から端末９０に対して、所定のタイミングで、特定情報（有効期間情報及び接続情報）が端末９０に通知されていた。この点、室内ユニット２０が利用者と管理者とが一致しない空間に設置される場合において室内ユニット２０を利用権限のない部外者によって運転されることを精度よく抑制する、という観点によれば、端末９０に対し有効期間情報が通知されることが好ましい。しかし、有効期間情報については適宜省略が可能である。
【０１５９】
すなわち、リモコン３０から端末９０に対して有効期間情報が通知されない場合であっても、リモコン制御部３９（通知部６８）が、パスワード情報を含む特定情報を端末９０に通知し、接続制御部６９が、端末９０から送信される要求信号に含まれるパスワード情報の有無（適否）に基づき端末９０との通信コネクションを確立するか否かの判断を行う。係る構成によっても、コマンド入力装置として機能させる端末９０を制限することが可能であり、操作者を施設１の管理者及び利用者（すなわち、利用権限のある者）に制限することが可能である。よって、室内ユニット２０が利用者と管理者とが一致しない空間に設置される場合においても、室内ユニット２０を利用権限のない部外者に運転されることが抑制される。
【０１６０】
（８−４）変形例Ｄ
上記実施形態では、リモコン３０は、コマンド入力手段としての発停切換キー３５及びタッチスクリーン３６（タッチ入力部３６ａ）を有していた。しかし、リモコン３０は、必ずしも発停切換キー３５及びタッチ入力部３６ａを有している必要はなく、適宜省略が可能である。係る場合には、リモコン３０がコマンド入力装置として機能せず、利用者は、リモコン３０と通信コネクションを確立した端末９０によってのみコマンドの入力が可能となる。その結果、室内ユニット２０が利用者と管理者とが一致しない空間に設置される場合において、室内ユニット２０の管理が容易となり、セキュリティ性がさらに向上する。
【０１６１】
（８−５）変形例Ｅ
上記実施形態では、リモコン制御部３９（第１通信制御部６６）が、端末９０から送信された禁止コマンドについてはコマンド記憶領域６１２に格納せずに破棄し、エラーフラグ６１９をたてることで、禁止コマンドが送信された際に切換制御が実行されないように構成されていた。しかし、これに限定されず、リモコン制御部３９が、端末９０との通信コネクションを確立する際に特定情報ととともに設定項目テーブルＴＢ１を送信し、送信された設定項目テーブルＴＢ１において定義される禁止コマンドについては端末９０から送信を行えないようにアプリケーションを構成してもよい。係る場合にも、禁止コマンドによっては切換制御が実行されないため、上記実施形態と同様の効果を奏する。
【０１６２】
（８−６）変形例Ｆ
上記実施形態では、リモコン制御部３９（第１通信制御部６６）が、タイムアウト端末９０から送信された無効コマンドについてはコマンド記憶領域６１２に格納せずに破棄し、エラーフラグ６１９をたてることで、無効コマンドによっては切換制御が実行されないように構成されていた。しかし、これに限定されず、送信された有効期間情報において特定される有効期間を終了した場合には端末９０からコマンドの送信を行えないようにアプリケーションを構成してもよい。係る場合にも、タイムアウト端末９０からの無効コマンドによっては切換制御が実行されないため、上記実施形態と同様の効果を奏する。
【０１６３】
（８−７）変形例Ｇ
上記実施形態では、リモコン３０から端末９０に対して、アプリケーションアドレスと接続情報とは別々に（異なるタイミングで）送信された。しかし、リモコン３０から端末９０に対して、アプリケーションアドレスを送信するのと同時に接続情報を送信するように構成してもよい。
【０１６４】
（８−８）変形例Ｈ
上記実施形態では、管理サーバ５０は、広域ネットワークＮＷ３上に配置されていた。しかし、管理サーバ５０は、必ずしも広域ネットワークＮＷ３上に配置される必要はなく、施設１の構内に配置されてもよい。
【０１６５】
また、アプリケーションは必ずしも管理サーバ５０において保持される必要はなく、室外ユニット制御部１１、室内ユニット制御部２１、又はリモコン制御部３９に含まれるメモリに格納されてもよい。
【０１６６】
（８−９）変形例Ｉ
上記実施形態では、有効期間は２４時間に設定されていた。しかし、有効期間は、設置環境や設計仕様に応じて適宜変更が可能である。例えば有効期間は、３時間に設定されてもよいし、３０日に設定されてもよい。
【０１６７】
（８−１０）変形例Ｊ
上記実施形態では、設定項目テーブルＴＢ１（図８）において、許可コマンド（許可項目）として「発停切換」、「設定温度選択」、「設定風量選択」、及び「設定風向選択」が定義され、禁止コマンドとして「運転モード切換」が定義されていた。しかし、設定項目テーブルＴＢ１において、許可コマンド及び禁止コマンドは自由に設定可能であり、設置環境や設計仕様に応じて適宜設定されればよい。例えば、設定項目テーブルＴＢ１においては、「設定温度選択」が禁止コマンドとして定義されてもよい。
【０１６８】
（８−１１）変形例Ｋ
上記実施形態では、室内ユニット制御部２１とリモコン制御部３９とが個別に配置されていた。しかし、これに限定されず、室内ユニット制御部２１の一部／全部と、リモコン制御部３９の一部／全部と、は一体に構成されてもよい。係る場合、一体に構成された制御部は、室内ユニット２０内に配置されてもよいし、リモコン３０内に配置されてもよいし、室外ユニット１０内に配置されてもよいし、通信ネットワークを介して接続された遠隔地に配置されてもよい。
【０１６９】
（８−１２）変形例Ｌ
上記実施形態では、室内ユニット２０は、複数の利用空間ＳＰを含む施設１に設置されていた。しかし、室内ユニット２０が設置される環境は、特に限定されず、あらゆる環境において設置可能である。例えば、室内ユニット２０は、単一の利用空間ＳＰを含む施設に設置されてもよい。また、室内ユニット２０は、管理者と利用者とが一致しない空間のみならず、管理者と利用者とが一致する空間に設置されてもよい。
【０１７０】
（８−１３）変形例Ｍ
上記実施形態では、「空気調和機」としての室内ユニット２０は、エアコンの室内ユニットであった。しかし、これに限定されず、室内ユニット２０は、空気清浄機、換気装置、又は除湿機等、対象空間に設置され空気調和を行う他の装置であってもよい。
【産業上の利用可能性】
【０１７１】
本発明は、空気調和機に適用可能である。
【符号の説明】
【０１７２】
１          ：施設
１０        ：室外ユニット
１１        ：室外ユニット制御部
２０        ：室内ユニット（空気調和機）
２１        ：室内ユニット制御部（アクチュエータ駆動部）
３０        ：リモコン
３５        ：発停切換キー
３６        ：タッチスクリーン
３６ａ      ：タッチ入力部
３６ｂ      ：表示部
３７        ：無線通信アダプタ（コマンド受信部）
３８        ：近距離無線通信モジュール（通信モジュール）
３８ａ      ：ラベル
３９        ：リモコン制御部
５０        ：管理サーバ
６１        ：記憶部（特定情報記憶部、管理者パスワード記憶部、利用者パスワード記憶部）
６２        ：入力制御部
６３        ：表示データ生成部
６４        ：表示データ出力部
６５        ：コマンド出力部
６６        ：第１通信制御部
６７        ：第２通信制御部
６８        ：通知部（特定情報通知部）
６９        ：接続制御部（判断部）
７０        ：パスワード生成部
９０        ：携帯通信端末（端末）
９１        ：アンテナ
１００      ：空調システム
６１１      ：プログラム記憶領域
６１２      ：コマンド記憶領域
６１３      ：表示データ記憶領域
６１４      ：アドレス記憶領域
６１５      ：識別情報記憶領域
６１６      ：パスワード情報記憶領域
６１７      ：有効期間記憶領域
６１８      ：設定項目情報記憶領域
６１９      ：エラーフラグ
ＮＷ１      ：無線ネットワーク
ＮＷ２      ：近距離無線ネットワーク
ＮＷ３      ：広域ネットワーク
ＳＰ（ＳＰ１−ＳＰ６）  ：利用空間（対象空間）
ＴＢ１      ：設定項目テーブル（設定項目情報）
ｃｂ１、ｃｂ２、ｃｂ３  ：通信線
【先行技術文献】
【特許文献】
【０１７３】
【特許文献１】特開２０１３−７６４９３号公報
【図１】
0006743383.tif 000002
【図２】
0006743383.tif 000003
【図３】
0006743383.tif 000004
【図４】
0006743383.tif 000005
【図５】
0006743383.tif 000006
【図６】
0006743383.tif 000007
【図７】
0006743383.tif 000008
【図８】
0006743383.tif 000009
【図９】
0006743383.tif 000010
【図１０】
0006743383.tif 000011
【図１１】
0006743383.tif 000012
【図１２】
0006743383.tif 000013